(57)【要約】【課題】  ＭＥＡの湿度状態を維持して発電性能を安定化させた燃料電池を提供する。【解決手段】  電解質膜を挟んで互いに対向するアノード極及びカソード極を有する膜電極複合体と、アノード極に燃料を供給するアノード流路板と、カソード極に酸化剤を供給するカソード流路板と、を有する燃料電池であって、カソード流路板はカソード流路板の略中央にカソード流路板の延伸方向に向けて形成された空気流通部と、カソード流路板の縁部にカソード流路板の延伸方向に向けて形成されたダクト部と、カソード流路板の延伸方向とは異なる方向に、ダクト部または空気流通部の少なくとも一方に連通するように形成された空気流路と、を有することを特徴とする。【選択図】    図２
2010225473.tif 000002
【特許請求の範囲】
【請求項１】
電解質膜を挟んで互いに対向するアノード極及びカソード極を有する膜電極複合体と、
前記アノード極に燃料を供給するアノード流路板と、
前記カソード極に酸化剤を供給するカソード流路板と、
を有する燃料電池であって、
前記カソード流路板は
前記カソード流路板の略中央にカソード流路板の延伸方向に向けて形成された空気流通部と、
カソード流路板の縁部に前記カソード流路板の延伸方向に向けて形成されたダクト部と、
前記カソード流路板の延伸方向とは異なる方向に、前記ダクト部または前記空気流通部の少なくとも一方に連通するように形成された空気流路と、
を有することを特徴とする燃料電池。
【請求項２】
前記燃料電池は更に制御部を有し、
この制御部は、式（Ａ）を満たすように燃料電池の発電を制御することを特徴とする請求項１に記載の燃料電池。
【数１】
2010225473.tif 000007
ここで、Ｌ（ｍ）は前記空気流路の長さの１／２の長さ、ｈ（ｍ）は前記空気流路の流路平均深さ、Ｆはファラデー定数、DO2はスタック動作温度における酸素の拡散係数（ｍ２／ｓ）、Coutは外気の酸素濃度（ｍｏｌ／ｍ３）、iは燃料電池で発電を行う際の電流密度（Ａ／ｍ２）である。
【請求項３】
前記燃料電池は更に制御部と、前記空気流通部に空気を供給する空気供給部とを有し、
前記制御部は式（Ｂ）を満たすように前記空気供給部を制御することを特徴とする請求項１に記載の燃料電池。
【数２】
2010225473.tif 000008
ここで、Ｌ（ｍ）は前記空気流路の長さの１／２の長さ、ｈ（ｍ）は前記空気流路の流路平均深さ、Ｆはファラデー定数、DO2はスタック動作温度における酸素の拡散係数（ｍ２／ｓ）、Coutは外気の酸素濃度（ｍｏｌ／ｍ３）、iは燃料電池で発電を行う際の電流密度（Ａ／ｍ２）である。
【請求項４】
前記燃料電池は前記ダクト部と前記空気流路との間に酸素の透過を許容する隔膜を有することを特徴とする請求項１乃至３のいずれか１項に記載の燃料電池。
【請求項５】
前記ダクト部は前記アノード極から離間して形成されていることを特徴とする請求項１乃至４のいずれか１項に記載の燃料電池。
【請求項６】
前記燃料はメタノール、メタノール含有水溶液、水素、水素含有ガスのいずれかであることを特徴とする請求項１乃至５のいずれか１項に記載の燃料電池。
【発明の詳細な説明】
【技術分野】
【０００１】
本発明は、燃料電池に関し、特に直接燃料酸化型燃料電池に関する。
【背景技術】
【０００２】
水素を燃料とする固体高分子型燃料電池（ＰＥＭ）や直接メタノール供給型燃料電池（ＤＭＦＣ）では、アノード流路板とカソード流路板とで膜電極複合体（ＭＥＡ）を挟み込み、このようにして得た複数のセルが互いに積層され、スタックを形成している。ＭＥＡは、固体高分子型のプロトン導電膜のアノード側に、アノード触媒層、アノードガス拡散層が形成され、カソード側にカソード触媒層、カソードガス拡散層が形成されている。
【０００３】
ＤＭＦＣの場合、水、メタノールの混合溶液がアノードに送られ、空気がカソードに送られる。
【０００４】
アノードでは
ＣＨ３ＯＨ＋Ｈ２Ｏ→ＣＯ２＋６Ｈ＋＋６ｅ−              （１）
の反応が生じ、二酸化炭素が発生する。カソードでは
３／２Ｏ２＋６Ｈ＋＋６ｅ−→３Ｈ２Ｏ                    （２）
の反応が生じ、水が発生する。
【０００５】
アノードで発生した二酸化炭素と水及び未反応のメタノールとを含む混合溶液は、気液二相流となってアノードから排出される。アノードから排出された気液二相流は、アノードの出口側の流路に設けられた気液分離器により気体と液体に分離される。分離後の液体は、回収流路を介して混合タンク等へ循環させ、分離後の気体は、大気に放出させている（例えば、特許文献１参照。）。
【０００６】
一方、水素を燃料とする燃料電池において、アノードでは
Ｈ２→２Ｈ＋＋２ｅ−                                   （３）
の反応が生じる。
【０００７】
上記のように、アノードに対して水及びメタノール混合溶液を供給する場合、並びに水素を供給する場合のいずれにおいても、カソードには上記の反応式に従って十分な発電が行えるような量の空気を供給しなければならない。このため、従来においては、ポンプ等を用いて空気をカソードに供給していたが、ポンプ等のサイズが大きい、ポンプ等が大きな騒音を発する、ポンプ等によって電力消費が増大するなどの問題を生じていた。
【０００８】
また、室温の空気を６０−７０℃のスタックに供給すると、温度が上昇すると空気の相対湿度が低下し、空気導入部近傍のＭＥＡが乾いてしまい、ＭＥＡの湿度状態が変化して発電性能が不安定になってしまうなどの問題も生じていた。
【先行技術文献】
【特許文献】
【０００９】
【特許文献１】米国特許第６９２４０５５号
【発明の概要】
【発明が解決しようとする課題】
【００１０】
本発明は、ポンプ等の使用による騒音や電力消費増大の問題を低減するとともに、ＭＥ
Ａの湿度状態を維持して発電性能を安定化させた燃料電池を提供することを目的とする。
【課題を解決するための手段】
【００１１】
本発明に係る燃料電池は、電解質膜を挟んで互いに対向するアノード極及びカソード極を有する膜電極複合体と、前記アノード極に燃料を供給するアノード流路板と、前記カソード極に酸化剤を供給するカソード流路板と、を有する燃料電池であって、前記カソード流路板は前記カソード流路板の略中央にカソード流路板の延伸方向に向けて形成された空気流通部と、カソード流路板の縁部に前記カソード流路板の延伸方向に向けて形成されたダクト部と、前記カソード流路板の延伸方向とは異なる方向に、前記ダクト部または前記空気流通部の少なくとも一方に連通するように形成された空気流路と、を有することを特徴とする。
【発明の効果】
【００１２】
上記態様によれば、ポンプ等の使用による騒音や電力消費増大の問題を低減するとともに、ＭＥＡの湿度状態を維持して発電性能を安定化させた燃料電池を提供することができる。
【図面の簡単な説明】
【００１３】
【図１】本発明の第１の実施の形態に係るセルを積層したスタックの一セルの断面図である。
【図２】本発明の第１の実施の形態に係るカソード流路の要部模式図である。
【図３】式（Ａ）の技術的意義を説明するための構成図である。
【図４】図３に係る空気流路内の酸素濃度分布の説明図である。
【図５】本発明の第１の実施の形態に係る制御部の構成図である。
【図６】本発明の第１の実施の形態に係る燃料電池の構成図である。
【図７】本発明の第１の実施の形態に係るカソード流路板の構成図である。
【図８】本発明の第１の実施の形態の変形例に係るカソード流路板の構成図である。
【図９】本発明の第１の実施の形態の変形例に係るカソード流路板の構成図である。
【図１０】本発明の第１の実施の形態の変形例に係るカソード流路板の構成図である。
【図１１】本発明の第１の実施の形態の変形例に係るカソード流路板の構成図である。
【図１２】本発明の第２の実施の形態に係るスタックの断面図である。
【図１３】本発明の第２の実施の形態の変形例に係るスタックの断面図である。
【発明を実施するための形態】
【００１４】
次に、図面を参照して本発明の実施の形態を説明する。以下の図面の記載において、同一又は類似の部分には同一又は類似の符号を付している。ただし、以下に示す実施の形態は、この発明の技術的思想を具体化するための装置や方法を例示するものであって、この発明の技術的思想は、構成部品の材質、形状、構造、配置等を下記のものに限定するものでない。この発明の技術的思想は、特許請求の範囲において、種々の変更を加えることができる。
【００１５】
〔第１の実施の形態〕
本発明の第１の実施の形態に係る燃料電池として、燃料にメタノールを用いた直接メタノール型燃料電池（ＤＭＦＣ）を採用した燃料電池を説明する。
【００１６】
本発明の第１の実施の形態に係るセルを積層した燃料電池用スタックの一セル１００は、図１に示すように、電解質膜１１、及び電解質膜１１を挟んで対向するアノード極１８及びカソード極１９を有する膜電極複合体（ＭＥＡ）１と、アノード極１８における反応により生成した流体を気体と液体に分離する疎液性多孔体からなる気液分離層２と、アノード極１８に燃料を供給する燃料流路５、及びアノード極で生成される気体（ＣＯ２等）を排出する気体流路６を有するアノード流路板４、カソード流路板の略中央にカソード流路板の延伸方向に向けて形成された空気流通部４３と、カソード流路板の縁部にカソード流路板の延伸方向に向けて形成されたダクト部４２ａ、４２ｂと、カソード流路板の延伸方向とは異なる方向に、ダクト部または空気流通部の少なくとも一方に連通するように形成された後述の図２に示す空気流路４４ａ、４４ｂとを有するカソード流路板４１とを有する。
【００１７】
第１の実施の形態における膜電極複合体１のアノード極１８は、アノード触媒層１２、カーボン緻密層１４及びアノードガス拡散層１６により構成されている。また、カソード極１９は、カソード触媒層１３、カーボン緻密層１５及びカソードガス拡散層１７により構成されている。
【００１８】
図１の符号３は密着層である。密着層３はアノード流路板４や気液分離層２よりも柔軟性を有する、疎液性カーボンペーパーを用いることができる。密着層３は本実施の形態における必須の構成要素ではないが、アノード流路板と疎液性多孔体２との界面の密着性を高めることにより、アノード流路板４と気液分離層２の界面において燃料流路５から気体流路６へ燃料が直接ショートカットすることを防止する機能を有する。
【００１９】
アノード流路板４には、燃料流路５及び気体流路６が形成されている。燃料流路５は、燃料又は燃料水溶液を燃料供給口５０からアノード極１８へ供給するとともに、アノード極より未反応の燃料水溶液等を燃料排出口５１から排出する。気体流路６は、アノード反応により生成した気体（ＣＯ2ガス）を気体排出口６０から排出する。
【００２０】
カソードガス拡散層１７の外側には、カソード流路板４１が配置されている。カソード流路板４１は導電性を有する導電性を有するカーボンや、ＳＵＳなどの金属製部材を用いることによりカソード集電体としても兼用することが可能である。カソード集電体は、空気をカソード極１９に供給するとともにカソードとしての集電を行う。アノードガスケット９及びカソードガスケット１０は、燃料及び空気の外部へのリークを防止する。
【００２１】
本発明の第１の実施の形態に係る燃料電池において、燃料であるメタノール水溶液は燃料流路５から、密着層３及び気液分離層２を通してアノード極１８に供給される。同時に、カソード流路板４１から酸化剤ガスとして空気が取り込まれ、カソード極１９に供給される。
【００２２】
ここで、気液分離層２、密着層３は疎液性を持たせており、液体は多孔体である気液分離層２、密着層３の内部に浸透しにくい。一方、気化した燃料、すなわちメタノールの蒸気および水の蒸気はこれらの層が有する微細孔を透過しアノード極１８に到達しやすい。
【００２３】
一方、燃料流路に接続された循環ポンプ（図示省略）が燃料流路５を気体流路６よりも圧力が高い状態としているため、アノード反応により生成した気体（ＣＯ２ガス）は撥液処理を施した気液分離層２の微細孔を介して気体流路６に排出されやすい。アノード反応により生成した気体（ＣＯ２ガス）が燃料液で満たされた燃料流路５に気泡として排出されるためには、気泡を生成するための圧力が必要であるが、疎液性の多孔体である気液分離層２、密着層３には、気体が流通する経路が形成され、多孔体を気体が透過するための圧力は、燃料流路５に気泡を生成するための圧力より小さい。このため、気液分離層２、密着層３により、アノード反応により生成した気体（ＣＯ２ガス）を効率的に気体流路６に分離し、排出することが出来る。
【００２４】
アノード反応で生成したプロトン（Ｈ＋）はプロトン導電性を有する電解質膜１１を透過してカソード極１９へ移動する。アノード反応で生成した電子（ｅ-）は、集電体を兼ねるアノード流路板４、外部回路（図示省略）、カソード流路板４１を経由してカソード極１９へ移動する。アノード反応で発生したＣＯ2は、燃料流路５内の液中に気泡を形成するより、疎液性の気液分離層２を透過する方が容易なため、疎液性の気液分離層２の多孔体中を透過して、気体流路６から排出される。この理由は先に述べた通りである。アノード極１８で未反応のメタノール、および水は燃料排出口５１から排出される。未反応のメタノール及び水の一部は電解質膜１１を透過してカソード側へ移動する。カソード反応で生成した水の一部は、電解質膜１１を通してアノード触媒層１２側へ逆拡散し、残りは空気流通部４３もしくはダクト部４２ａ、４２ｂから外部へ排出される。
【００２５】
発電反応及びクロスオーバーしたメタノールの酸化、膜を透過した水は、水蒸気で、カソードから拡散により排出される。そのため、空気流路４４ａ、４４ｂの水蒸気濃度は高く保つことが可能となる。
【００２６】
次に図２を用いて本実施の形態について更に詳細に説明する。
【００２７】
図２は図１のＡ−Ａにおける断面において図１に示すｘ−ｙ−ｚ座標のｙ方向に見た時のカソード流路板４１の概念図である。
【００２８】
カソード流路板４１は、カソード流路板４１の略中央にカソード流路板４１の延伸方向（図２においてはＸ方向）に向けて形成された空気流通部４３と、カソード流路板４１の縁部にカソード流路板の延伸方向に向けて形成されたダクト部４２ａ、４２ｂと、カソード流路板４１の延伸方向とは異なる方向（図２においてはＺ方向）に、ダクト部４２ａ、４２ｂまたは空気流通部４３の少なくとも一方に連通するように形成された空気流路４４ａ、４４ｂとを有する。
【００２９】
スタック１００にはスタック１００の冷却およびカソード極１９へ空気を供給する機能を有する空気供給部７１（７１ａ、７１ｂ）、７２が取り付けられている。
【００３０】
カソード流路板４１が上述のような構成を有することにより、中央の空気流通部４３に空気を流通させつつ、その両側に形成された空気流路４４ａ、４４ｂを通じて拡散で空気を供給させることが可能となり、カソード極の発電する領域を大きくすることができる。
【００３１】
中央の空気流通部４３の断面積と長さは圧力損失を小さくするようにとることができるので、空気供給部７２として空気ファンのように静かで、消費電力が小さく、排出圧力の小さいものも適用することが可能である。
【００３２】
ここで空気流路４４ａ、４４ｂへ十分な酸素供給を行うために、空気供給部７１（７１ａ、７１ｂ）、７２はこれに必要な空気を供給する。このため、空気流通部４３に対向する部分のカソード極１９は、乾きやすく、水の蒸発も大きくなるが、空気流通部４３の幅を空気流路４４ａ、４４ｂより小さくすることにより、その影響を小さくできる。もしくは後述の図７、図８に記述するように、空気流通部４３とカソード極１９が直接流通する面積を小さくすることにより、カソード極１９の乾燥を低減できる。水の蒸発を低減し、かつ、酸素の供給を十分に行うために、空気流路４４ａ、４４ｂの一部に空気の流れは阻止するが、酸素の透過を許容する隔膜４５ａ、４５ｂを配置してもよい。隔膜を配することにより、空気流路４４ａ、４４ｂの内部に空気の流れが生じることを抑制し、空気供給を酸素の拡散により行うことができるため、空気流路４４ａ、４４ｂの内部の湿度を適切に保持しやすくなるというメリットが生じる。また、隔膜の代わりにダクト部と空気流路との連通部、あるいは空気流通部と空気流路との間の開口部の一部を例えば空気流路４４ａ、４４ｂの幅が３０％以下程度に小さくすることで、いわゆる絞り構造を持たせることにより、同様の効果を得ることも可能である。隔膜としては、多孔体樹脂膜を用いることができる。
【００３３】
また、燃料電池の制御部８０を活用することで、次のような手法を採用することもできる。すなわち、燃料電池は更に制御部８０を有し、この制御部８０は、式（Ａ）を満たすように燃料電池の発電を制御することを特徴とする。
【数１】
2010225473.tif 000003
【００３４】
ここで、図２に示すようにＬ（ｍ）は前記空気流路の長さ、ｈ（ｍ）は前記空気流路の流路平均深さである。また、Ｆはファラデー定数、DO2はスタック温度における酸素の拡散係数 （ｍ２／ｓ）、Coutは外気の酸素濃度（ｍｏｌ／ｍ３）、iは燃料電池で発電を行う際の電流密度（Ａ／ｍ２）である。
【００３５】
（式（Ａ）の技術的意義）
式（Ａ）の技術的意義について図３を用いて説明する。
【００３６】
図３は、図２における空気流通部４３が流路板４１ｃとなっている、いわゆるフィッシュボーン形状のカソード流路板を模式的に示したものである。すなわち、流路板４１ａ、４１ｂと流路板４１ｃは全体として「魚の骨」のような構造になっている。また、ダクト部４２ａ、４２ｂと空気流通部４３との間に酸素の透過を許容する隔膜４５ａ、４５ｂが配置されている。この場合、図２の場合とは異なり空気流路４４ａ、４４ｂには空気流通部４３からの空気の供給はなく、ダクト部４２ａ、４２ｂから空気流路４４ａ、４４ｂへ隔膜４５ａ、４５ｂを介して、主に拡散に支配された空気が供給される。そして、カソード反応の生成物は、隔膜４５ａ、４５ｂを介してダクト部４２ａ、４２ｂに放出される。なお、空気流路４４ａの長さをＬ、その平均深さをｈとする。
【００３７】
図４は、図３に示すカソード流路板４１を燃料電池に適用した時の空気流路４４ａ、４４ｂ内の酸素濃度について示したものである。上述の通り、空気流路４４ａ、４４ｂ内の空気の流れはほとんど無く、物質移動は拡散が支配するので、空気流路内の流れによる物質移動は無視できる。また、空気流路４４ａ、４４ｂ内のＸ方向の酸素濃度はほぼ均一と仮定できる。カソード極では発電の電流密度iに応じて式（２）に従い酸素が消費される。カソード極における単位面積当たりの酸素の消費量がＺ方向で均一と仮定し、酸素濃度に関し物質収支をとると式（４）に示される以下の微分方程式が得られる。
【数２】
2010225473.tif 000004
【００３８】
ここで、Ｆはファラデー定数、DO2は酸素の拡散係数、Coutはダクト部の酸素濃度である。式（４）を積分することにより、空気流路４４ａ、４４ｂ内の酸素濃度分布として式（５）に示される以下の式が得られる。
【数３】
2010225473.tif 000005
【００３９】
この式（５）から拡散により酸素を供給できる距離は、ｚ＝０でＣ（０）＞０を満たすとすると、以下の式（６）を満たす範囲であることが求められる。
【数４】
2010225473.tif 000006
【００４０】
ここで、Ｌを長くするためにｈを大きくすると、スタックの幅が大きくなり、結果的に燃料電池が大型化してしまう。そこで、上述のように、空気流通部４３をカソード流路板４１の延伸方向に向けて略中央部に設けることにより、空気流路はダクト部４２ａ、４２ｂのみからの拡散に依存して空気を供給するのみでなく、空気流通部４３からの空気の拡散によっても供給することができるため、図３の場合に比べ、図２の場合は、ｈを大きくすることなくおよそ２倍の長さに酸素を供給することが可能になり、ＭＥＡの湿度状態を維持して発電性能を安定化させることが可能となる。酸素の濃度分布の算出に関しては、ＤＭＦＣの場合、クロスオーバーしたメタノールの酸化に要する酸素消費も考慮に入れる必要がある。
【００４１】
このような方法に加えて、式（６）を満たす方法として電流密度ｉを小さくすることも可能である。このためには、制御部８０により外部負荷に与える電力量を低下させることにより燃料電池の発電量を小さくする制御を行うことが可能である。
【００４２】
制御部８０は図５に示すように信号出力部８０１、信号入力部８０２、データベース部８０３、演算処理部８０４、データ格納部８０５を有し、これらは互いに信号のやり取りが可能となっている。信号出力部８０１、信号入力部８０２はＤＭＦＣの可制御または可観測である構成要素と信号線を通じて繋がっている。
【００４３】
演算処理部８０４は中央演算装置（ＣＰＵ）である。
【００４４】
データベース部８０３はＤＭＦＣを制御するために必要なデータを予め格納してある。この格納されたデータは演算処理部８０４を通じて呼び出し、適宜参照することができる。
【００４５】
データ格納部８０５はＤＭＦＣの各計測部や各センサから得られたデータ、演算処理部８０３における演算処理により得られたデータを一時的あるいは半永久的に格納する機能を有する。この機能を実現するために、一般的な半導体メモリーやＤＶＤなどの記録媒体を用いることができる。
【００４６】
燃料の使用、液の増減に起因するアノード側における濃度変化・液量変化は燃料循環路に介挿された濃度センサによる濃度の検出値、温度計測部による温度の検出値、及びスタック１００の発電特性（電圧値、電流値、発電効率等）と、データベース部８０３、データ格納部８０５に格納されたデータとを演算処理部８０４にて比較参照することにより把握することが出来る。このようにして把握された状態に応じて、制御部８０から信号線を通じて、スタック１００の負荷電流密度、燃料循環ポンプを制御する信号等を出力し、ＤＭＦＣを制御することができる。
【００４７】
図６はこのような燃料電池を実現する燃料電池１０００を例示したものである。
【００４８】
燃料電池１０００は、アノード循環経路３００（３００ａ〜ｄ）を介して循環燃料タンク５００、循環ポンプ４００と接続されている。スタック１００への燃料供給は、アノード循環経路３００を介して循環ポンプ４００により行われる。更に、循環経路３００には、濃度センサ６００、高濃度燃料供給モジュール７００が介挿されている。
【００４９】
燃料タンク５００は、図示しない液量センサが取り付けられている。
【００５０】
濃度センサ６００はアノード循環経路３００を流れるメタノール水溶液の濃度［ｍｏｌ／ｍ３］を測定可能であり、測定した濃度値により高濃度燃料を加える量を操作する。
【００５１】
高濃度燃料供給モジュール７００は、燃料カートリッジ７０１、経路７０２、ポンプ７０３、バルブ７０４から構成される。燃料カートリッジ７０１は高濃度燃料を貯蔵する。ポンプ７０３は燃料カートリッジ７０１から高濃度燃料を経路７０２を介してアノード循環経路３００に供給する。バルブ７０４は経路７０２に配され、カートリッジ７０１とポンプ７０３との間を遮断可能とする。
【００５２】
循環ポンプ４００で燃料をスタック１００に供給しながら、負荷１１００を接続することにより燃料電池１０００は発電を行うことが可能である。
【００５３】
この時、上述の式（５）に従うダクト流路４２ａ、４２ｂ、空気流通部４３、空気流路４４ａ、４４ｂを有するスタックの発電電流密度を制御部８０で制御することにより、ポンプ等の使用による騒音や電力消費増大の問題を低減するとともに、ＭＥＡの湿度状態を維持して発電性能を安定化させた燃料電池を提供することができる。また、拡散による空気供給可能な流域を大きくできる構造をとることができるので、燃料電池の小型、高性能化を実現する燃料電池を提供することができる。
【００５４】
このような燃料電池１０００を実現するためのカソード流路板４１の実施の形態を図７に例示する。図７（Ａ）はカソード流路板４１を延伸方向の直上から見た模式図、図７（Ｂ）は図７（Ａ）のＢ−Ｂにおける断面図である。このように空気流通部４３に空孔を設けることにより空気流通部４３とカソードガス拡散層１７が直接連通する面積を小さくし、カソード極及び電解質膜が過度に乾燥することを防止する効果を有する。
【００５５】
〔第１の実施の形態の変形例〕
カソード流路板４１の他の実施の形態を図８に例示する。図８（Ａ）はカソード流路板４１を延伸方向の直上から見た模式図、図８（Ｂ）は図８（Ａ）のＢ−Ｂにおける断面図である。図８に示すカソード流路板４１は図７に示したものと異なり、空気流通部４３には空孔は設けられておらず、空気流通部４３が複数の平行流路に分岐されている。こうすることによりカソードガス拡散層１７が、空気流通部４３が直接連通する面積を小さくし、カソード極及び電解質膜が過度に乾燥することを防止する効果を有する。
【００５６】
その他、図９乃至１１のようにすることも可能である。それぞれ、拡散による空気の供給を行う領域を大きくしつつ、空気流通部４３と接する領域のカソードガス拡散層１７の乾燥を低減させるという効果を有する。
【００５７】
〔第２の実施の形態〕
図１２はスタック１００の断面図である。図１２においては、アノード極における気液分離が行われていない例である。図１２の符号２１は燃料シール、符号２２は電解質膜保護部材である。燃料シールは燃料をシールする機能を有する。電解質膜保護部材は電解質膜を保護する機能を有する。これらの機能を達する材質のものを用いることができる。具体的には耐腐食性のＰＴＦＥ等を用いることができる。
【００５８】
アノードガスケット９、燃料シール２１、電解質膜１１によってダクト部４２ａ、４２ｂはアノード極から離間して形成されている。
【００５９】
〔第２の実施の形態の変形例〕
図１３は第２の実施の形態のアノード極、カソード極をＺ方向に２分したものである。このような構造をとることにより空気流通部４３と接するカソードガス拡散層が無くなり、カソードガス拡散層１７が乾燥しにくくなるという効果を有する。
【符号の説明】
【００６０】
１…膜電極複合体（ＭＥＡ）
２…気液分離層（疎液性多孔体）
３…密着層
４…アノード流路板（アノード集電体）
５…燃料流路
６…気体流路
７…カソード流路板（カソード集電体）
８…開口部
９…アノードガスケット
１０…カソードガスケット
１１…電解質膜
１２…アノード触媒層
１３…カソード触媒層
１４…カーボン緻密層
１５…カーボン緻密層
１６…アノードガス拡散層
１７…カソードガス拡散層
１８…アノード極
１９…カソード極
２１…燃料シール（アノード側）
２２…電解質膜保護部材（カソード側）
４１…カソード流路板
４１ａ、４１ｂ…
４２ａ、４２ｂ…ダクト部
４３…空気流通部
４４ａ、４４ｂ…空気流路
４５ａ、４５ｂ…隔膜
４１…カソード流路板
５０…燃料供給口
５１…燃料排出口
６０…気体排出口
７１、７１ａ、７１ｂ、７２…空気供給部
１００…スタック
１０１…温度計測部
１１０…スタック
２００、２００ａ、２００ｂ…ＦＡＮ
３００…循環経路
４００…循環ポンプ
５００…バッファ部
５０１…容器
５０２…ベローズ
５０３…センサ
６００…濃度センサ
７００…高濃度燃料供給モジュール
７０１…高濃度燃料カートリッジ
７０２…高濃度燃料供給経路
７０３…高濃度燃料ポンプ
７０４…高濃度燃料バルブ
８０…制御部
８０１…信号出力部
８０２…信号入力部
８０３…データベース部
８０４…演算処理部
８０５…データ格納部
１０００…燃料電池
１１００…負荷
１２００…スイッチ
【図１】
2010225473.tif 000009
【図２】
2010225473.tif 000010
【図３】
2010225473.tif 000011
【図４】
2010225473.tif 000012
【図５】
2010225473.tif 000013
【図６】
2010225473.tif 000014
【図７】
2010225473.tif 000015
【図８】
2010225473.tif 000016
【図９】
2010225473.tif 000017
【図１０】
2010225473.tif 000018
【図１１】
2010225473.tif 000019
【図１２】
2010225473.tif 000020
【図１３】
2010225473.tif 000021